(57)【特許請求の範囲】
【請求項１】
一次電池又は二次電池が接続される第１の端子と、
外部から電圧が印加されるとともに、上記第１の端子に接続された第２の端子と、
上記第１の端子と上記第２の端子との間に設けられ、上記第１の端子と上記第２の端子を切断する切断回路と、
上記一次電池又は上記二次電池が接続された上記第１の端子の電圧を検出する電圧検出回路と、
上記切断回路がオンのときの上記電圧検出回路で検出された上記第１の端子の第１の電圧と上記切断回路がオフのときの上記電圧検出回路で検出された上記第１の端子の第２の電圧との電圧変化量を算出する電源制御回路とを備え、
上記電源制御回路は、上記電圧変化量に基づいて上記第１の端子に接続された電池の種類を判別し、上記第１の端子に接続された電池が上記一次電池であると判別したとき、上記切断回路をオフにすることを特徴とする充電装置。
【請求項２】
上記電源制御回路は、上記電圧変化量が、上記一次電池に上記第２の端子からの電圧を印加したときの端子間電圧と上記一次電池に上記第２の端子からの電圧を印加していないときの端子間電圧との電圧変化量より大きいとき、上記第１の端子に接続された電池を上記一次電池と判別し、上記切断回路をオフにすることを特徴とする請求項１記載の充電装置。
【請求項３】
上記第１の端子と上記切断回路との間には、整流素子が設けられていることを特徴とする請求項１記載の充電装置。
【請求項４】
一次電池又は二次電池が接続された第１の端子に外部からの電圧を第２の端子を介して印加するステップと、
上記外部からの電圧が印加された上記一次電池又は上記二次電池が接続された上記第１の端子の第１の電圧を検出し記憶するステップと、
上記第１の端子と上記第２の端子を切断するステップと、
上記第１の端子と第２の端子を切断した後、上記一次電池又は上記二次電池が接続された上記第１の端子の第２の電圧を検出し記憶するステップと、
上記第１の電圧と上記第２の電圧の電圧変化量を算出するステップと、
上記電圧変化量に基づいて、上記第１の端子に接続された電池の種類を判別するステップと、
上記第１の端子に上記一次電池が接続されていると判別したとき、上記第１の端子と上記第２の端子とを切断するステップとを備える充電方法。
【請求項５】
上記第１の電圧と第２の電圧の電圧変化量が、上記一次電池に上記第２の端子からの電圧を印加したときの端子間電圧と上記一次電池に上記第２の端子からの電圧を印加していないときの端子間電圧との電圧変化量より大きいとき、上記第１の端子に接続された電池は上記一次電池であると判別することを特徴とする請求項４記載の充電方法。
【請求項６】
一次電池又は二次電池が接続される第１の端子と、
外部から電圧が印加されるとともに、上記第１の端子に接続された第２の端子と、
上記第１の端子と上記第２の端子との間に設けられ、上記第１の端子と上記第２の端子を切断する切断回路と、
上記一次電池又は二次電池が接続された上記第１の端子の電圧を検出する電圧検出回路と、
上記第１の端子及び上記第２の端子により印加された異なる電圧を一定にし、各回路に出力する出力回路と、
上記切断回路がオンのときの上記電圧検出回路で検出された上記第１の端子の第１の電圧と上記切断回路がオフのときの上記電圧検出回路で検出された上記第１の端子の第２の電圧との電圧変化量を算出する電源制御回路とを備え、
上記電源制御回路は、上記電圧変化量に基づいて上記第１の端子に接続された電池の種類を判別し、上記第１の端子に接続された電池が上記一次電池であると判別したとき、上記切断回路をオフにすることを特徴とする電源装置。
【請求項７】
上記電源制御回路は、上記電圧変化量が、上記一次電池に上記第２の端子からの電圧を印加したときの端子間電圧と上記一次電池に上記第２の端子からの電圧を印加していないときの端子間電圧との電圧変化量より大きいとき、上記第１の端子に接続された電池を上記一次電池と判別し、上記切断回路をオフにすることを特徴とする請求項６記載の電源装置。
【請求項８】
上記第１の端子と上記切断回路との間には、整流素子が設けられていることを特徴とする請求項６記載の電源装置。
【発明の詳細な説明】
【０００１】
【発明の属する技術分野】
本発明は、第１の端子に一次電池と二次電池とが接続可能な充電装置及び充電方法並びに電源電装置に関し、更に詳しくは、第１の端子に接続された電池の種類を電気的に判別し、第１の端子に二次電池が接続されているときに限って、充電することができる充電装置及び充電方法並びに電源装置に関する。
【０００２】
【従来の技術】
光ディスク、ディスクカートリッジ等を記録媒体に用いる携帯型記録及び／又は再生装置等の携帯型電子機器には、電源として一次電池や二次電池を用いるとともに、外部から直流電源を供給することができるように直流電源端子が設けられたものがある。この種の携帯型電子機器には、二次電池を充電することができるように充電装置が設けられている。そして、この充電装置は、一次電池と二次電池が極めて近似した形状をしていることから、一次電池を使用しているときに、利用者が誤って充電操作をしないように、現在使用している電池の種類、すなわち現在使用している電池が一次電池であるか二次電池であるかを検出する検出機構を設け、この検出機構が一次電池であることを検出したときには、充電を強制的に禁止するようにしている。
【０００３】
従来、この検出機構は、二次電池の筐体にこの電池が二次電池であることを示す凹部又は突部からなる検出部を設けることで、一次電池と外形形状を異ならせ、一次電池又は二次電池が収納される電池収納部に機械的な検出スイッチを設けることで、電池収納部に収納された電池の種類を検出している。すなわち、この検出機構は、一次電池が電池収納部に収納されたとき、一次電池には検出部が設けられていないことから、検出スイッチがオン又はオフとなり、二次電池が電池収納部に収納されたとき、検出部により検出スイッチがオフ又はオンとなることで、一次電池と二次電池の判別を行っている。
【０００４】
【発明が解決しようとする課題】
ところで、この携帯型電子機器は、利便性の向上を図るため、更なる小型化が図られている。この場合に、上述した検出機構を備えた充電装置は、電池収納部に機械的な検出スイッチを設ける必要があることから、携帯型電子機器の更なる小型化の妨げとなる。また、二次電池の検出部が破損した場合には、検出スイッチで検出部を検出することができず、誤って利用者が一次電池を使用しているときに充電操作した場合には、充電装置が一次電池に対して充電をしてしまうことがあった。また、機械的に設けられた検出スイッチが衝撃等により破損してしまった場合には、二次電池に設けられた検出部を検出することができなくなってしまい、同様に、充電装置が一次電池に対して充電をしてしまうことがあった。一次電池に対して充電が行われた場合、一次電池は、液漏れを起こしてしまうことになる。
【０００５】
そこで、本発明は、第１の端子に接続された電池が一次電池であるか二次電池であるかの判別を電気的に行い、確実に一次電池であるか二次電池であるかの判別を行うことができる充電装置及び充電方法並びにこの充電装置を備えた電源装置を提供することを目的とする。
【０００６】
【課題を解決するための手段】
本発明に係る充電装置は、上述した課題を解決すべく、一次電池又は二次電池が接続される第１の端子と、外部から電圧が印加されるとともに、第１の端子に接続された第２の端子と、第１の端子と第２の端子との間に設けられ、第１の端子と第２の端子を切断する切断回路と、一次電池又は二次電池が接続された第１の端子の電圧を検出する電圧検出回路と、切断回路がオンのときの電圧検出回路で検出された第１の端子の第１の電圧と切断回路がオフのときの電圧検出回路で検出された第１の端子の第２の電圧との電圧変化量を算出する電源制御回路とを備える。そして、電源制御回路は、電圧変化量に基づいて第１の端子に接続された電池の種類を判別し、第１の端子に接続された電池が一次電池であると判別したとき、切断回路をオフにする。
【０００７】
また、本発明に係る充電方法は、上述した課題を解決すべく、一次電池又は二次電池が接続された第１の端子に外部からの電圧を第２の端子を介して印加するステップと、外部からの電圧が印加された一次電池又は二次電池が接続された第１の端子の第１の電圧を検出し記憶するステップと、第１の端子と第２の端子を切断するステップと、第１の端子と第２の端子を切断した後、一次電池又は二次電池が接続された第１の端子の第２の電圧を検出し記憶するステップと、第１の電圧と第２の電圧の電圧変化量を算出するステップと、電圧変化量に基づいて、第１の端子に接続された電池の種類を判別するステップと、第１の端子に一次電池が接続されていると判別したとき、第１の端子と第２の端子とを切断するステップとを備える。
【０００８】
さらに、本発明に係る電源装置は、上述した課題を解決すべく、一次電池又は二次電池が接続される第１の端子と、外部から電圧が印加されるとともに、第１の端子に接続された第２の端子と、第１の端子と第２の端子との間に設けられ、第１の端子と第２の端子を切断する切断回路と、一次電池又は二次電池が接続された第１の端子の電圧を検出する電圧検出回路と、第１の端子及び第２の端子により印加された異なる電圧を一定にし、各回路に出力する出力回路と、切断回路がオンのときの電圧検出回路で検出された第１の端子の第１の電圧と切断回路がオフのときの電圧検出回路で検出された第１の端子の第２の電圧との電圧変化量を算出する電源制御回路とを備える。そして、電源制御回路は、電圧変化量に基づいて第１の端子に接続された電池の種類を判別し、第１の端子に接続された電池が一次電池であると判別したとき、切断回路をオフにする。
【０００９】
【発明の実施の形態】
以下、本発明が適用された光ディスク再生装置について、図面を参照して説明する。この光ディスク再生装置は、光ディスクよりやや大きく形成され、電源として一次電池若しくは二次電池又は外部電源が用いられる携帯型の機器である。この光ディスク再生装置１は、図１に示すように、楽音信号等の情報信号が記録された再生専用の光ディスク１０に対し、光ビームを照射し反射された戻りの光ビームを検出することで、光ディスク５に対して情報信号の読み出しを行う光ピックアップ１１と、光ピックアップ１１より出力された出力信号を増幅するＲＦアンプ１２と、ＲＦアンプ１２からのＲＦ信号をアナログ信号に変換し再生信号を生成する信号処理回路１３と、この再生信号を増幅するアンプ１４と、アンプ１４で増幅された再生信号を出力するイヤホン、ヘッドホン、スピーカ等の出力器１５とを備える。また、光ディスク再生装置１は、ＲＦアンプ１２の出力に基づきサーボ制御を行うサーボ回路１６と、サーボ回路１６からのサーボ信号に基づいて光ピックアップ１１を駆動制御するドライブ回路１７と、信号処理回路１３やサーボ回路１６を制御するメインコントローラ１８と、これらの再生系回路等の各回路に電力を供給する電源回路２０とを備える。
【００１０】
光ピックアップ１１は、光ビームを出射する半導体レーザと、この半導体レーザより出射された光ビームを集束する対物レンズと、光ディスク１０で反射された戻りの光ビームを検出する光検出器等を備える。半導体レーザより出射された光ビームは、対物レンズにより集束され、光ディスク１０の信号記録面に照射される。そして、光ディスク１０の信号記録面で反射された戻りの光ビームは、光検出器により電気信号に変換され、光検出器は、この電気信号をＲＦアンプ１２に供給する。また、対物レンズは、２軸アクチュエータ等の駆動機構に保持され、対物レンズの光軸と平行なフォーカシング方向及び対物レンズの光軸に直交するトラッキング方向に駆動変位される。
【００１１】
ＲＦアンプ１２は、光ピックアップを構成する光検出器からの出力信号に基づいて、ＲＦ信号、フォーカスエラー信号及びトラッキングエラー信号を生成する。例えばフォーカスエラー信号は、非点収差法により生成され、トラッキングエラー信号は、３ビーム法やプッシュプル法により生成される。そして、ＲＦアンプ１２は、ＲＦ信号を信号処理回路１３に供給し、フォーカスエラー信号及びトラッキングエラー信号をサーボ回路１６に供給する。
【００１２】
信号処理回路１３は、符号誤りを検出訂正する誤り検出訂正回路やディジタル信号をアナログ信号に変換するディジタル／アナログ変換回路（Ａ／Ｄ変換回路）等からなる。信号処理回路１３は、誤り検出訂正回路でＲＦ信号中の符号誤りを検出訂正した後、誤り訂正がなされたＲＦ信号をＡ／Ｄ変換回路でアナログ信号に変換し、再生信号を生成する。
【００１３】
ＲＦアンプ１２からフォーカスエラー信号及びトラッキングエラー信号が供給されるサーボ回路１６は、光ディスク１０を再生する際のサーボ信号を生成する。具体的に、サーボ回路１６は、フォーカスエラー信号に基づき、このフォーカスエラー信号が０となるように、フォーカシングサーボ信号を生成し、また、トラッキングエラー信号に基づき、このトラッキングエラー信号が０となるように、トラッキングサーボ信号を生成する。そして、サーボ回路１６は、フォーカシングサーボ信号及びトラッキングサーボ信号をドライブ回路１７に供給する。
【００１４】
ドライブ回路１７は、サーボ回路１６で生成されたフォーカシングサーボ信号及びトラッキングサーボ信号に基づいて、光ピックアップ１１を構成する対物レンズを駆動する２軸アクチュエータを駆動制御する。ドライブ回路１７は、フォーカシングサーボ信号に基づき２軸アクチュエータを駆動し、対物レンズを対物レンズの光軸と平行なフォーカシング方向に駆動変位させる。また、ドライブ回路１７は、トラッキングサーボ信号に基づき２軸アクチュエータを駆動し、対物レンズの光軸に直交するトラッキング方向に対物レンズを駆動変位させる。
【００１５】
また、メインコントローラ１８は、操作部１９からの操作信号に基づいて上述したサーボ回路１６や信号処理回路１３等の制御を行う。例えば、操作部１９を構成する再生開始ボタンが押されると、再生開始信号がメインコントローラ１８に入力され、メインコントローラ１８は、この再生開始信号に基づいて、サーボ回路１６及びドライブ回路１７を制御し、光ピックアップ１１を駆動するとともに、信号処理回路１３を動作させる。
【００１６】
また、この光ディスク再生装置１は、各回路に電力を供給する電源回路２０が設けられている。この電源回路２０は、図２に示すように、直列接続された一次電池又は二次電池２１，２２が接続される第１の端子となる電池端子２３と、この電池端子２３に接続された第２の端子となる充電端子２４と、電池端子２３と充電端子２４の接続を切断する切断回路２５と、電池端子２３に印加された電圧を検出する電圧検出回路２６と、電池端子２３及び充電端子２４に印加された電圧を一定にし、光ピックアップ１１、信号処理回路１３、メインコントローラ１８等に電力を供給するＤＣ／ＤＣコンバータ２７と、切断回路２５を切り換え制御する電源制御回路２８とを備える。
【００１７】
一次電池２１と二次電池２２は、例えばＡ４型のサイズであり、電池端子２２に接続される一次電池２１は、未使用時の初期電圧が例えば１．５５Ｖであり、また、二次電池２２は、満充電で１．３Ｖである。そして、電池端子２３を構成するプラス側端子２３ａとマイナス側端子２３ｂには、２本が直列に接続された一次電池２１又は二次電池２２が接続される。プラス側端子２３ａは、所定電圧ＶCC1で駆動する上述した再生系回路に接続された出力端子２９と、ＤＣ／ＤＣコンバータ２７に接続されている。また、マイナス側端子２３ｂは、充電端子２４を介して常時接地されている。
【００１８】
充電端子２４は、ＡＣ／ＤＣコンバータのジャックが接続されるコネクタであり、直流電圧が印加される。この充電端子２４は、プラス側端子２４ａと、マイナス側端子２４ｂと、接地されたＧＮＤ端子２４ｃとの３端子からなり、プラス側端子２４ａは、充電端子２４にＡＣ／ＤＣコンバータのジャックが接続されたことを検出するため、電源制御回路２８に接続されている。また、マイナス側端子２４ａとＧＮＤ端子２４ｃとは、常時接続されており、マイナス側端子２４ａは、ＧＮＤ端子２４ｃを介して接地されている。
【００１９】
切断回路２５は、充電端子２４と電池端子２３のプラス側端子２３ａ及びＤＣ／ＤＣコンバータ２７とを接続するため、入力側が充電端子２４のプラス側端子２４ａと電源制御回路２８との中間接続点に接続され、出力側が整流素子３１を介して電池端子２３のプラス側端子２３ａとＤＣ／ＤＣコンバータ２７との中間接続点に接続されている。この切断回路２５は、電源制御回路２８により制御されている。切断回路２５は、電池端子２３に二次電池２２が接続されているときに限ってオンとなり、電池端子２３と充電端子２４とを接続する。
【００２０】
そして、この切断回路２５と電池端子２３のプラス側端子２３ａとの間には、整流素子３１が設けられている。整流素子３１は、充電端子２４より電池端子２３及びＤＣ／ＤＣコンバータ２７へ電流が流れるように充電電流を整流する。そして、この整流素子３１の出力は、電池端子２３のプラス側端子２３ａとＤＣ／ＤＣコンバータ２７との中間接続点に接続されている。
【００２１】
電池端子２３に印加された電圧を検出する電圧検出回路２６は、電池端子２３の電圧を検出するため、電池端子２３のプラス側端子２３ａとＤＣ／ＤＣコンバータ２７との中間接続点に接続されている。この電圧検出回路２６は、切断回路２５がオフ及びオンのときの一次電池２１又は二次電池２２が接続された電池端子２３の電圧を検出する。そして、電圧検出回路２６は、電池端子２３の電圧に対応した電圧信号を電源制御回路２８に供給する。
【００２２】
ＤＣ／ＤＣコンバータ２７は、電池端子２３のプラス側端子２３ａに接続されているとともに、切断回路２５がオンとなったとき、充電端子２４のプラス側端子２４ａに接続される。ＤＣ／ＤＣコンバータ２７は、電池端子２３及び充電端子２４から印加された電圧を所定の電圧ＶCC2とし、出力電圧ＶCC2で駆動される上述した各再生系回路に接続された出力端子３２に接続されている。
【００２３】
電源制御回路２８は、切断回路２５のオンオフの切換制御を行う。電源制御回路２８は、充電端子２４にＡＣ／ＤＣコンバータのジャックが接続されたとき、充電端子２４に電圧が印加されたことを検出し、切断回路２５をオン状態にする。また、電源制御回路２８は、電圧検出回路２６で検出された電池端子２３の電圧を示す電圧信号が供給され、この電圧信号に基づいて、切断回路２５のオンオフの切換を行う。具体的に、電源制御回路２８には、充電端子２４にＡＣ／ＤＣコンバータのジャックが接続され、充電端子２４に所定の電圧が印加された状態で、切断回路２５がオンのときの電池端子２３の第１の電圧を示す第１の電圧信号と切断回路２５がオフのときの電池端子２３の第２の電圧を示す第２の電圧信号とが供給される。そして、電源制御回路２８は、切断回路２５がオンのときの第１の電圧信号から切断回路２５がオフのときの第２の電圧信号を減算し、充電端子２４にＡＣ／ＤＣコンバータのジャックが接続されている状態での切断回路２５がオンのときとオフのときの電圧変化量ΔＶを算出する。
【００２４】
また、電源制御回路２６は、一次電池２１に対して充電を行うように電圧を印加した場合の端子間電圧とこの充電のための電圧を印加していない場合の端子間電圧との電圧変化量ΔＶBを閾値として記憶回路に予め記憶している。そして、電源制御回路２６は、電圧検出回路２６で検出された切断回路２５がオンのときとオフのときの電池端子２３の電圧変化量ΔＶが一次電池２１の場合の電圧変化量ΔＶBより大きいとき、電池端子２３に接続された電池が一次電池２１であると判断し、切断回路２５をオフにする。
【００２５】
また、電源制御回路２８は、一次電池２１に対して二次電池２２に充電するときに印加する電圧と同じ電圧を印加したとき、充電開始から所定時間経過するまでの電圧上昇率Ｘが閾値として記憶されている。そして、電源制御回路２８は、検出した電池端子２３の電圧上昇率Ｙが一次電池２１の場合の電圧上昇率より小さい場合に、電池端子２３に接続された電池が二次電池２２であると判別する。
【００２６】
すなわち、一次電池２１に充電を行うように端子間に電圧を印加した場合、図３に示すように、時間経過に伴い一次電池２１の端子間電圧は、急激に上昇する。そして、一次電池２１に対して電圧の印加を停止すると、一次電池２１の端子間電圧は、ΔＶB分下降する。そして、再度、一次電池２１に対して電圧の印加を再開すると、一次電池２１の端子間電圧は、再度、略ΔＶB分上昇する。また、二次電池２２に充電を行うように端子間に電圧を印加した場合、図４に示すように、時間経過に伴い図３に示す一次電池２１の場合より緩やかな傾きで上昇する。そして、二次電池２２に対して充電を停止すると、二次電池２２の端子間電圧は、一次電池２１の場合の下降分ΔＶBより少ないΔＶR分、例えば０．２Ｖ下降する。そして、再度、二次電池２２に対して充電を再開すると、二次電池２２の端子間電圧は、再度、略ΔＶR分上昇する。すなわち、一次電池２１に対して電圧を印加したときと電圧を印加していないときの電圧変化量ΔＶBは、二次電池２２の充電時と充電停止時の電圧変化量ΔＶRよりはるかに大きくなる。
【００２７】
また、図５は、使用済みの一次電池２１と未使用の一次電池２１の端子間電圧特性を示す。図５に示すように、使用済みの一次電池２１に充電を行うように端子間に電圧を印加した場合、時間経過に伴い一次電池２１の端子間電圧は、急激に上昇する。そして、使用済みの一次電池２１に対して電圧の印加を停止すると、一次電池２１の端子間電圧は、ΔＶB1分下降する。そして、再度、使用済みの一次電池２１に対して電圧の印加を再開すると、一次電池２１の端子間電圧は、再度、略ΔＶB1分上昇する。同様に未使用の一次電池２１に充電を行うように端子間に電圧を印加した場合、時間経過に伴い一次電池２１の端子間電圧は、急激に上昇する。そして、未使用の一次電池２１に対して電圧の印加を停止すると、一次電池２１の端子間電圧は、使用済み一次電池２１の場合の電圧変化量ΔＶB1より小さいもののΔＶB2分下降する。そして、再度、未使用の一次電池２１に対して電圧の印加を再開すると、一次電池２１の端子間電圧は、再度、略ΔＶB2分上昇する。このように使用済み一次電池２１や未使用の一次電池２１に対して充電をするような電圧を印加した場合と電圧を印加しなかった場合の電圧変化量ＶB1，ＶB2も、二次電池２２の充電時と充電停止時における電圧変化量ＶRより大きいことが分かる。
【００２８】
また、図６は、一次電池２１に対して充電電流を可変した場合の一次電池２１の端子間電圧特性を示す。充電電流を大中小と三段階に分けて一次電池２１に電圧を印加した場合のいずれの場合も、時間経過に伴い一次電池２１の端子間電圧は、ピーク電圧は異なるものの、急激に上昇し、そして、充電を停止すると、一次電池２１の端子間電圧は、ΔＶB3分下降する。このように一次電池２１に供給する電流を可変した場合においても、一次電池２１の電圧印加時と電圧を印加しないときの電圧変化量ΔＶB3は、二次電池２２の充電時と充電停止時の電圧変化量ΔＶRよりはるかに大きいことが分かる。
【００２９】
電源制御回路２８は、図３及び図４に示すように、一次電池２１に二次電池２２を充電するために印加する電圧と同じ電圧を印加した場合の電圧上昇率Ｘが、二次電池２２に充電電圧を印加した場合より大きいことに基づいて、電源制御回路２８は、一次電池２１の電圧上昇率Ｘを閾値とし、検出した電圧上昇率Ｙが電圧上昇率Ｘより小さいとき、二次電池２２と判別する。電源制御回路２８は、一次電池２１の電圧上昇率Ｘを閾値に用いることで、一次電池２１に対して充電をしないようにしている。
【００３０】
また、電源制御回路２８に予め記憶されている一次電池２１に対して充電を行うように電圧を印加した場合の端子間電圧と充電を行うための電圧を印加していない場合の端子間電圧との電圧変化量ΔＶBは、図４乃至図６に示すように、一次電池２１の使用状況等により電圧変化量が変化するが、二次電池２２の場合の電圧変化量ΔＶRよりはるかに大きい。そこで、電源制御回路２８には、一次電池２１の場合の最も小さい電圧変化量ΔＶB（例えば図５に示す電圧変化量ΔＶB2）が閾値として電源制御回路２８に記憶される。そして、電源制御回路２８は、この一次電池２１の場合の電圧変化量ΔＶBより大きいとき、切断回路２５をオフにし、このとき、一次電池２１の電圧上昇率ΔＶBを閾値として用いることで、一次電池２１に対して充電をしないようにしている。
【００３１】
以上のような電源回路２０は、電池端子２３に一次電池２１又は二次電池２２が接続され、充電端子２４にＡＣ／ＤＣコンバータのジャックが接続されているとき次のように動作する。すなわち、切断回路２５は、電源制御回路２８により充電端子２４にＡＣ／ＤＣコンバータのジャックが接続されているとき、オンの状態にあり、電池端子２３には、充電端子２４に印加されている電圧が印加される。このとき、充電端子２４から電池端子２３に流れる電流は、整流素子３１に整流される。ここで、電圧検出回路２６は、充電端子２４により印加されている第１の電圧を検出し、この第１の電圧に対応した第１の電圧信号を電源制御回路２８に供給する。この後、電源制御回路２８は、切断回路２５をオフにし、電圧検出回路２６は、充電端子２４により電圧が印加されていない状態の電池端子２３の第２の電圧を検出し、この第２の電圧に対応した第２の電圧信号を電源制御回路２８に供給する。すると、電源制御回路２８は、第１の電圧信号より第２の電圧信号を減算し、電池端子２３に充電端子２４の電圧が印加されているときの電圧と電池端子２３に充電端子２４の電圧が印加されていないときの電圧変化量ΔＶを算出する。そして、電源制御回路２８は、この電圧変化量ΔＶが一次電池２１の電圧変化量ΔＶBより大きいとき、電池端子２３に接続された電池が一次電池であるとし、切断回路２５をオフにし、これ以上一次電池２１に充電がされないようにする。したがって、切断回路２５がオフのとき、ＤＣ／ＤＣコンバータ２７及び出力端子２９には、電池端子２３に接続されている一次電池２１の電圧が印加される。
【００３２】
以上のような光ディスク再生装置１は、光ディスク２に記録された情報信号の再生を行う場合、次のように動作する。すなわち、操作部１９を構成する再生開始ボタンが押されると、再生開始信号がメインコントローラ１８に入力され、メインコントローラ１８は、この再生開始信号に基づいて、サーボ回路１６及びドライブ回路１７を制御し、光ピックアップ１１を駆動する。すると、光ピックアップ１１は、半導体レーザより光ビームを出射し、光ディスク２の信号記録面に光ビームを照射し、光ディスク２の信号記録面で反射した戻りの光ビームを光検出器で検出することで、情報信号の読み出しを行う。そして、光ピックアップ１１の光検出器は、照射された光ビームを電気信号に変換し、この電気信号をＲＦアンプ１２に供給する。すると、ＲＦアンプ１２は、光検出器からの出力信号に基づいて、ＲＦ信号、フォーカスエラー信号及びトラッキングエラー信号を生成し、ＲＦ信号を信号処理回路１３に供給し、フォーカスエラー信号及びトラッキングエラー信号をサーボ回路１６に供給する。信号処理回路１３は、誤り検出訂正回路でＲＦ信号中の符号誤りを検出訂正した後、誤り訂正がなされたＲＦ信号をＡ／Ｄ変換回路でアナログ信号に変換し、再生信号を生成し、アンプ１４に供給する。そして、アンプ１４で増幅された再生信号は、アンプ１４で増幅され、イヤホン、ヘッドホン、スピーカ等の出力器１５より出力される。
【００３３】
これと同時に、ＲＦアンプ１２で生成されたフォーカスエラー信号及びトラッキングエラー信号が供給されたサーボ回路１６は、フォーカスエラー信号及びトラッキングエラー信号が０となるようにフォーカシングサーボ信号及びトラッキングサーボ信号を生成し、ドライブ回路１７に供給する。ドライブ回路１７は、フォーカシングサーボ信号に基づき、２軸アクチュエータを駆動し、対物レンズは、２軸アクチュエータにより対物レンズの光軸と平行なフォーカシング方向に駆動変位される。また、ドライブ回路１７は、トラッキングサーボ信号に基づき、２軸アクチュエータを駆動し、対物レンズは、２軸アクチュエータにより対物レンズの光軸に直交するトラッキング方向に駆動変位される。これにより、光ピックアップ１１は、フォーカシング及びトラッキング制御がなされ、確実に情報信号を読み出すことができる。
【００３４】
ところで、以上のように光ディスク１０に記録された情報信号の再生を行っているとき、電源回路２６は次のように動作し、光ディスク１０の再生を行うための各回路に電力を供給する。まず、利用者が光ディスク再生装置１を携帯して使用している場合等電池端子２３に一次電池２１又は二次電池２２が接続され、充電端子２４にＡＣ／ＤＣコンバータのジャックが接続されていないとき、図２に示すように、電源制御回路２８は、充電端子２４にＡＣ／ＤＣコンバータのジャックが接続されていないことを検出し、切換回路２５をオフにしている。したがって、一次電池２１又は二次電池２２の接続された電池端子２３の電圧は、電池端子２３のプラス側端子２３ａに接続された出力端子２９とＤＣ／ＤＣコンバータ２７に印加される。そして、ＤＣ／ＤＣコンバータ２７は、電池端子２３から印加された入力電圧を所定の電圧ＶCC2に変換し、出力端子３２に電圧ＶCC2を印加する。このように出力端子２９，３２に所定電圧Ｖcc1，Ｖcc2が印加されることで、上述した各再生系回路が駆動される。
【００３５】
また、電池端子２３に一次電池２１又は二次電池２２が接続されず、充電端子２４にＡＣ／ＤＣコンバータのジャックが接続されているとき、図２に示すように、充電端子２４の電圧は、電源制御回路２８に印加され、電源制御回路２８は、充電端子２４にＡＣ／ＤＣコンバータのジャックが接続されていることを検出し、充電端子２４からＤＣ／ＤＣコンバータ２７及び出力端子２９に電圧を印加できるように切断回路２５をオンにする。すると、充電端子２４の電圧は、ＤＣ／ＤＣコンバータ２７及び出力端子２９に印加され、充電端子２４からの電流は、整流素子３１で整流され、ＤＣ／ＤＣコンバータ２７及び出力端子２９に供給される。そして、ＤＣ／ＤＣコンバータ２７は、電池端子２３から印加された入力電圧を所定の電圧ＶCC2に変換し、出力端子３２に電圧ＶCC2を印加する。そして、出力端子２９，３２に所定電圧Ｖcc1，Ｖcc2が印加されることで、上述した各再生系回路が駆動される。
【００３６】
また、二次電池２２を充電する場合等電池端子２３に二次電池２２が接続されており、充電端子２４にもＡＣ／ＤＣコンバータのジャックが接続されている場合、電源制御回路２８は、図７に示すように電池端子２３に接続された電池を判別し、電池端子２３に一次電池２１が接続されている場合に、一次電池２１に対し、充電端子２４より充電のための電圧を印加しないようにしている。
【００３７】
すなわち、ステップＳ１において、電源制御回路２８は、充電端子２４にＡＣ／ＤＣコンバータのジャックが接続されていることを検出すると、切断回路２５をオンにし、電池端子２３に充電端子２４の電圧を印加することで、充電を開始する。
【００３８】
ステップＳ２において、電池端子２３に整流素子３１で整流された充電電流が供給されると、電源制御回路２８は、ステップＳ３において、充電開始から電池端子２３の電圧が最も上がるまでの所定時間が経過したかを判断する。そして、電源制御回路２８は、所定時間経過した場合、ステップＳ４に進み、所定時間を経過していない場合、ステップＳ２へ戻る。
【００３９】
ステップＳ４において、電源制御回路２８は、電圧検出回路２６で検出された電池端子２３の電圧が１．５５Ｖより大きいかどうかを判断する。すなわち、未使用の一次電池２１の初期電圧は、上述したように１．５５Ｖであり、電源制御回路２８は、１．５５Ｖ以上の場合、一次電池２１が電池接点２３に接続されていると判断し、図８に示すステップＳ１８に進み、充電を停止し、１．５５Ｖ未満の場合、ステップＳ５に進む。
【００４０】
ステップＳ５において、電源制御回路２８は、ステップＳ３における所定時間が経過するまでの電池端子２３の電圧上昇率Ｙを算出し、ステップＳ６に進む。
【００４１】
ステップＳ６において、電源制御回路２８は、ステップＳ６で算出した電圧上昇率Ｙが予め閾値として記憶されている一次電池２１の場合の電圧上昇率Ｘより小さいかを判断する。そして、電圧制御回路２８は、検出された電圧上昇率Ｙが一次電池２１の電圧上昇率Ｘより小さい場合、図８に示すステップＳ１１に進み、検出された電圧上昇率Ｙが一次電池２１の電圧上昇率Ｘより大きい場合、図７に示すステップＳ１９に進み、充電を停止する。
【００４２】
以上のように、電源制御回路２８は、二次電池２２に充電電圧を印加したときの二次電池２２の端子間電圧上昇率Ｙが一次電池２１に同じように電圧を印加したときの一次電池２１の電圧上昇率Ｘより小さいことに基づき電池端子２３に接続された電池の種類を判別している。ところで、一次電池２１の電圧上昇率Ｘと二次電池２２の電圧上昇率Ｙは、差が少ないことに加えて、一次電池２１には、マンガン電池、アルカリ電池等種類が複数あり、また、上記図５に示したように、未使用時と使用済みとで電圧を印加したときの、端子間電圧特性が大きく異なることから、正確に電池端子２３に接続された電池の種類を判別することができないことがある。そこで、電源制御回路２８は、更に次のように電池端子２３に接続された電池の種類を判別している。
【００４３】
上述したステップＳ６に続いて、図８に示すように、電源制御回路２８は、ステップＳ１１において、ステップＳ３における所定時間経過後に、電圧検出回路２６で検出された切断回路２５がオンのときの電池端子２３の第１の電圧を示した第１の電圧信号が供給され、この第１の電圧信号Ｖ（１）を記憶保持する。
【００４４】
ステップＳ１２において、電源制御回路２８は、充電開始から充電を停止するまでの時間、例えば１分を経過したかを判断し、所定時間を経過したとき、ステップＳ１３に進み、所定時間を経過していないとき、ステップＳ１１へ戻る。
【００４５】
ステップＳ１３において、電源制御回路２８は、充電を停止する。すなわち、電源制御回路２８は、切断回路２５をオフにし、充電端子２４の電圧が電池端子２３に印加されないようにする。
【００４６】
ステップＳ１４において、電源制御回路２８は、電池端子２３への電圧の印加が停止した後、電池端子２３の電圧が安定するまで、具体的に５秒から１０秒間切断回路２５をオフにした状態、すなわち充電停止状態を維持する。
【００４７】
ステップＳ１５において、電源制御回路２８は、電圧検出回路２６で検出された切断回路２５がオフのときの電池端子２３の第２の電圧を示した第２の電圧信号が供給され、この第２の電圧信号Ｖ（２）を記憶保持する。
【００４８】
ステップＳ１６において、電源制御回路２８は、ステップＳ１１で記憶した切断回路２５がオンのときの電池端子２３の第１の電圧を示す第１の電圧信号Ｖ（１）からステップＳ１５で記憶した切断回路２５がオフのときの電池端子２３の第２の電圧を示す第２の電圧信号Ｖ（２）を減算し、電圧変化量ΔＶを算出する。ここで、二次電池２２は、電圧変化量ΔＶRが一次電池２１より小さい。そこで、電圧制御回路２８は、ステップＳ３において最も電圧が上がった後に、ステップＳ１１における切断回路２５がオンのときの電池端子２３の第１の電圧を検出し、ステップＳ１４において切断回路２５がオフとなり電池端子２３の電圧が最も低下した第２の電圧を検出することで、最も大きく現れた電圧変化量ΔＶを算出し、電圧変化量の小さい二次電池２２が電池端子２３に接続されている場合も、正確に電圧変化量ΔＶを算出している。
【００４９】
ステップＳ１７において、電源制御回路２８は、予め記憶されている一次電池２１に対して充電を行うように電圧を印加した場合の端子間電圧と充電を行うための電圧を印加していない場合の端子間電圧との電圧変化量ΔＶBよりステップＳ１６で算出した電圧変化量ΔＶが大きいかを判断する。そして、電源制御回路２８は、電圧変化量ΔＶが電圧変化量ΔＶBより大きいとき、ステップＳ１８に進み、電圧変化量ΔＶが電圧変化量ΔＶBより小さいとき、ステップＳ１９に進む。
【００５０】
ステップＳ１８において、電源制御回路２８は、電池端子２３に接続されている電池が一次電池２１であると判断し、切断回路２５をオフのままにし、電池端子２３に充電端子２４の電圧が印加されていない状態、すなわち充電停止状態にする。このとき、光ディスク再生装置の電源は、電池端子２３に接続された一次電池２１又は二次電池２２となり、ＤＣ／ＤＣコンバータ２７及び出力端子２９には、電池端子２３に接続されている一次電池２１の電圧が印加される。そして、出力端子２９に所定電圧ＶCC1が印加され、出力端子３２にＤＣ／ＤＣコンバータ２７で変換された所定電圧ＶCC2が印加されることで、上述した各再生系回路が駆動される。
【００５１】
また、ステップＳ１９において、電源制御回路２８は、電池端子２３に接続されている電池が二次電池２２であると判断し、切断回路２５をオンにし、二次電池２２に対する充電を継続する。これと同時に、充電端子２４の電圧は、ＤＣ／ＤＣコンバータ２７及び出力端子２９に印加され、充電端子２４からの電流は、整流素子３１で整流され、ＤＣ／ＤＣコンバータ２７及び出力端子２９に供給される。そして、ＤＣ／ＤＣコンバータ２７は、電池端子２３から印加された入力電圧を所定の電圧ＶCC2に変換し、出力端子３２に電圧ＶCC2を印加する。そして、出力端子２９，３２に所定電圧Ｖcc1，Ｖcc2が印加されることで、上述した各再生系回路が駆動される。
【００５２】
以上のように、電源制御回路２８は、先ず、一次電池２１が電池端子２３に接続された場合と二次電池２２が電池端子２３に接続された場合の電圧上昇率が異なることに基づいて、電池端子２３に接続された電池が一次電池２１であるか二次電池２２であるかを判断し、次いで、一次電池２１が電池端子２３に接続された場合と二次電池２２が電池端子２３に接続された場合の電圧変化量が異なることに基づいて電池端子２３に接続された電池が一次電池２１であるか二次電池２２であるかを判断し、２段階で電池の種類の識別をしていることから、確実に電池端子２３に接続された電池の種類を確実に判別することができる。また、電源制御回路２８は、図７に示す一次電池２１と二次電池２２の電圧上昇率の相違を判定するに際し、一次電池２１の電圧上昇率Ｘを閾値として用い、また、図８に示す一次電池２１と二次電池２２の電圧変化量の相違を判定するに際し、一次電池２１の電圧変化量ΔＶBを閾値として用いていることから、一次電池２１に対して充電することを確実に防止するこができる。また、図８に示す一次電池２１と二次電池２２の電圧変化量の相違に基づいて電池端子２３に接続された電池の種類を判別するステップでは、一次電池２１の場合の電圧変化量ΔＶBと二次電池２２の電圧変化量ΔＶRとの差が大きいことから、確実に電池の種類を判別することができる。かくして、電池端子２３に接続された電池の種類を確実に識別することができる電源回路２０を備えた光ディスク再生装置１では、一次電池１２に対して充電してしまうことを確実に防止することができることから、一次電池２１に対して誤って充電をしてしまい、一次電池２１が液漏れを起こすことを防止することができる。
【００５３】
なお、図８に示す一次電池２１と二次電池２２の電圧変化量の相違に基づいて電池端子２３に接続された電池の種類を判別するステップは、次のように行うこともできる。すなわち、上述したステップＳ６に続いて、図９に示すように、ステップＳ２１において、電源制御回路２８は、充電を停止する。すなわち、電源制御回路２８は、切断回路２５をオフにし、充電端子２４の電圧が電池端子２３に印加されないようにする。
【００５４】
ステップＳ２２において、電源制御回路２８は、電池端子２３への電圧の印加が停止した後、電池端子２３の電圧が安定するまで、具体的に５秒から１０秒間切断回路２５をオフにした状態、すなわち充電停止状態を維持する。
【００５５】
ステップＳ２３において、電源制御回路２８は、電圧検出回路２６で検出された切断回路２５がオフのときの電池端子２３の第３の電圧を示した第３の電圧信号が供給され、この第３の電圧信号Ｖ（３）を記憶保持する。
【００５６】
ステップＳ２４において、電源制御回路２８は、切断回路２５をオンにし、電池端子２３に充電端子２４の電圧を印加することで、充電を再開する。
【００５７】
ステップＳ２５において、電源制御回路２８は、電圧検出回路２６で検出された切断回路２５がオンのときの電池端子２３の第４の電圧を示した第４の電圧信号が供給され、この第４の電圧信号Ｖ（４）を記憶保持する。
【００５８】
ステップＳ２６において、電源制御回路２８は、切断回路２５がオンのときの電池端子２３の第４の電圧を示す第４の電圧信号Ｖ（４）から切断回路２５がオフのときの電池端子２３の第３の電圧を示す第３の電圧信号Ｖ（３）を減算し、電圧変化量ΔＶを算出する。
【００５９】
ステップＳ２７において、電源制御回路２８は、予め記憶されている一次電池２１に対して充電を行うように電圧を印加した場合の端子間電圧と充電を行うための電圧を印加していない場合の端子間電圧との電圧変化量ΔＶBよりステップＳ２６で算出した電圧変化量ΔＶが大きいかを判断する。そして、電源制御回路２８は、電圧変化量ΔＶが電圧変化量ΔＶBより大きいとき、ステップＳ２８に進み、電圧変化量ΔＶが電圧変化量ΔＶBより小さいとき、ステップＳ２９に進む。
【００６０】
ステップＳ２８において、電源制御回路２８は、電池端子２３に接続されている電池が一次電池２１であると判断し、切断回路２５をオフにし、電池端子２３に充電端子２４の電圧が印加されていない状態、すなわち充電停止状態にする。そして、電池端子２３に接続された一次電池２１により、出力端子２９に所定電圧ＶCC1が印加されるとともに出力端子３２にＤＣ／ＤＣコンバータ２７で変換された所定電圧ＶCC2が印加されることで、上述した各再生系回路が駆動される。
【００６１】
ステップＳ２９において、電源制御回路２８は、電池端子２３に接続されている電池が二次電池２２であると判断し、切断回路２５をオンのままにし、二次電池２２に対する充電を継続する。これと同時に、充電端子２４に接続されたＡＣ／ＤＣコンバータにより、出力端子２９に所定電圧ＶCC1が印加されるとともに出力端子３２にＤＣ／ＤＣコンバータ２７で変換された所定電圧ＶCC2が印加されることで、上述した各再生系回路が駆動される。
【００６２】
すなわち、図９に示す一次電池２１と二次電池２２の電圧変化量の相違に基づいて電池端子２３に接続された電池の種類を判別するステップでは、充電停止時における電池端子２３の第３の電圧を検出し、次いで、充電を再開したときの電池端子２４の第４の電圧を検出することで、電池端子２３に接続された電池の電圧変化量ΔＶを算出し、この電圧変化量ΔＶが閾値である一次電池２１の電圧変化量ΔＶBより大きいかどうかを判定し、電池端子２３に接続された電池の種類を判定している。このステップにおいても、上記図８に示したステップと同様、一次電池２１の場合の電圧変化量ΔＶBと二次電池２２の電圧変化量ΔＶRとの差が大きいことから、確実に電池の種類を判別することができる。
【００６３】
以上、光ディスク再生装置１の電源回路２０は、電池端子２３に接続された電池が一次電池２１であるか二次電池２２であるかの判別を行うに際し、一次電池２１の電圧上昇率及び電圧変化量を閾値として用いた場合について説明したが、本発明は、二次電池２２の電圧上昇率及び電圧変化量を閾値として用いても良い。この場合、電源制御回路２８は、電圧検出回路２６で検出された電圧信号に基づいて電源制御回路２８で生成された電池端子２３の電圧上昇率が予め記憶された二次電池２２の電圧上昇率より大きいとき、電池端子２３に接続された電池が一次電池２１であると判断し、また、電圧検出回路２６で検出された電圧信号に基づいて電源制御回路２８で生成された電池端子２３の電圧変化量が予め記憶された二次電池２２の電圧変化量より大きいとき、電池端子２３に接続された電池が一次電池２１であると判断する。
【００６４】
また、以上、電源制御回路２８が電圧上昇率に基づいて電池の種類を検出し、更に電圧変化量で電池の種類を判別する場合について説明したが、本発明は、電圧上昇率の相違を検出すること無く、図８及び図９に示すような電圧変化量の相違のみで電池の種類を判別するようにしてもよい。
【００６５】
以上、本発明が光ディスク再生装置１の電源回路２０に用いられた場合について説明したが、本発明は、これに限定されるものでなく、テープカートリッジ、ディスクカートリッジを記録媒体に用いる携帯型の記録及び／又は再生装置や携帯型のビデオカメラ装置等の携帯型電子機器の電源回路に適用することができる。
【００６６】
【発明の効果】
本発明によれば、電源制御回路は、切断回路をオンにし、第２の端子からの電圧が印加されたときの第１の端子の電圧検出回路で検出された第１の電圧と第１の端子に第２の端子からの電圧が印加されていないときの第１の端子の第２の電圧との電圧変化量を算出し、電圧変化量に基づいて第１の端子に接続された電池の種類を判別し、第１の端子に接続された電池が一次電池であると判別したとき、切断回路をオフにすることで、一次電池に対して充電電圧を印加してしまうことを確実に防止することができる。
【図面の簡単な説明】
【図１】光ディスク再生装置のブロック図である。
【図２】電源回路のブロック図である。
【図３】一次電池に充電電圧を印加した場合と充電電圧を印加していない場合の電圧変化量を説明するための図である。
【図４】二次電池に充電電圧を印加した場合と充電電圧を印加していない場合の電圧変化量を説明するための図である。
【図５】未使用一次電池と使用済み一次電池の電圧変化量を説明するための図である。
【図６】充電電流を可変した場合の一次電池の電圧変化量を説明するための図である。
【図７】電池端子の電圧上昇率を検出し、電池端子に接続された電池の種類を判別するステップを説明するためのフローチャートである。
【図８】電池端子の電圧変化量を検出し、電池端子に接続された電池の種類を判別するステップを説明するためのフローチャートである。
【図９】電池端子の電圧変化量を検出し、電池端子に接続された電池の種類を判別するステップの他の例を説明するためのフローチャートである。
【符号の説明】
１  光ディスク再生装置、１０  光ディスク、１２  ＲＦアンプ、１３  信号処理回路、１４  アンプ、１５  出力器、１６  サーボ回路、１７  ドライブ回路、１８  メインコントローラ、２０  電源回路、２１  一次電池、２２  二次電池、２３  電池端子、２４  充電端子、２５  切断回路、２６  電圧検出回路、２７  ＤＣ／ＤＣコンバータ、２８  電源制御回路、２９  出力端子、３１  整流素子、３２  出力端子
【図１】
0003932727.tif 000002
【図２】
0003932727.tif 000003
【図３】
0003932727.tif 000004
【図４】
0003932727.tif 000005
【図５】
0003932727.tif 000006
【図６】
0003932727.tif 000007
【図７】
0003932727.tif 000008
【図８】
0003932727.tif 000009
【図９】
0003932727.tif 000010